(57)【要約】      （修正有）【課題】無線通信システムのネットワークにおける測定ギャップの設定方法を提供する。【解決手段】無線通信システムのユーザー機器に、上りリンク周波数ブロックおよび下りリンク周波数ブロックとを含む複数の周波数ブロックを設定する段階と、測定ギャップが設定される場合に、複数の周波数ブロックのうち測定ギャップと関連付けられる第１の下りリンク周波数ブロックを指示する段階とを含む。【選択図】図４
2010273343.tif 000002
【特許請求の範囲】
【請求項１】
無線通信システムのネットワーク端末において、測定ギャップを設定する方法であって、
少なくとも一つの下りリンク周波数ブロックを前記無線通信システムのユーザー機器（ＵＥ）に設定する段階と、
測定ギャップを前記ユーザー機器に設定する際に、前記少なくとも一つの下りリンク周波数ブロックのうち、前記測定ギャップに関連付けられる第１の下りリンク周波数ブロックを指示する段階と、を備える方法。
【請求項２】
前記少なくとも一つの下りリンク周波数ブロックは、前記ユーザー機器が下りリンク共有チャネル（ＤＬ‐ＳＣＨ）受信を行うために設定される請求項１に記載の方法。
【請求項３】
前記測定ギャップに関連付けられる前記第１の下りリンク周波数ブロックを指示する段階は、前記測定ギャップの間に、前記第１の下りリンク周波数ブロックに割り当てられた受信機を通じて測定を行うよう前記ユーザー機器に指示する段階である請求項１または２に記載の方法。
【請求項４】
前記ユーザー機器は、前記測定ギャップ間に、異周波数間測定または異無線アクセス技術間測定を行う請求項３に記載の方法。
【請求項５】
前記ユーザー機器は、前記測定ギャップ間に、前記第１の下りリンク周波数ブロックで下りリンク共有チャネル（ＤＬ‐ＳＣＨ）受信を行うことが禁止されている請求項３に記載の方法。
【請求項６】
前記ユーザー機器は、前記測定ギャップ間に、前記第１の下りリンク周波数ブロック以外の他の下りリンク周波数ブロックにて、ＤＬ‐ＳＣＨ受信を実行し続ける請求項５に記載の方法。
【請求項７】
前記ユーザー機器は、前記第１の下りリンク周波数ブロックと送受信機を共有する第１の上りリンク周波数ブロックにおいて、上りリンク共有チャネル（ＵＬ‐ＳＣＨ）送信を行うことを禁止されており、前記送受信機は、前記第１の上りリンク周波数ブロックに割り当てられた送信機、および前記第１の下りリンク周波数ブロックに割り当てられた前記受信機とを有する請求項３に記載の方法。
【請求項８】
前記ユーザー機器は、前記測定ギャップ間に、前記第１の上りリンク周波数ブロック以外の他の上りリンク周波数ブロックにて、ＵＬ‐ＳＣＨ送信を実行し続ける請求項７に記載の方法。
【請求項９】
前記少なくとも一つの下りリンク周波数ブロックおよび前記測定ギャップの設定は、同じ無線リソース制御（ＲＲＣ）メッセージを通じておこなわれ、前記ＲＲＣメッセージは、ＲＲＣ接続設定メッセージである請求項１から８の何れか１項に記載の方法。
【請求項１０】
前記少なくとも一つの下りリンク周波数ブロックおよび前記測定ギャップの設定は連続して、無線リソース制御（ＲＲＣ）メッセージを通じておこなわれ、前記ＲＲＣメッセージは、共にＲＲＣ接続設定メッセージである請求項１から８の何れか１項に記載の方法。
【請求項１１】
無線通信システムのネットワーク端末において、測定ギャップを設定する通信装置であって、前記通信装置は、
プログラムを実行するプロセッサと、
前記プロセッサと接続され、前記プログラムを記憶するメモリとを備え、
前記プログラムは、
少なくとも一つの下りリンク周波数ブロックを前記無線通信システムのユーザー機器（ＵＥ）に設定する段階と、
測定ギャップを前記ユーザー機器に設定する際に、前記少なくとも一つの下りリンク周波数ブロックのうち、前記測定ギャップに関連付けられる第１の下りリンク周波数ブロックを指示する段階とを備える通信装置。
【請求項１２】
前記少なくとも一つの下りリンク周波数ブロックは、前記ユーザー機器が下りリンク共有チャネル（ＤＬ‐ＳＣＨ）受信を行うために設定される請求項１１に記載の通信装置。
【請求項１３】
前記測定ギャップに関連付けられる前記第１の下りリンク周波数ブロックを指示する段階は、前記測定ギャップの間に、前記第１の下りリンク周波数ブロックに割り当てられた受信機を通じて測定を行うよう前記ユーザー機器に指示する段階である請求項１１または１２に記載の通信装置。
【請求項１４】
前記ユーザー機器は、前記測定ギャップ間に、異周波数間測定または異無線アクセス技術間測定を行う請求項１３に記載の通信装置。
【請求項１５】
前記ユーザー機器は、前記測定ギャップ間に、前記第１の下りリンク周波数ブロックで下りリンク共有チャネル（ＤＬ‐ＳＣＨ）受信を行うことが禁止されている請求項１３に記載の通信装置。
【請求項１６】
前記ユーザー機器は、前記測定ギャップ間に、前記第１の下りリンク周波数ブロック以外の他の下りリンク周波数ブロックにて、ＤＬ‐ＳＣＨ受信を実行し続ける請求項１５に記載の通信装置。
【請求項１７】
前記ユーザー機器は、前記第１の下りリンク周波数ブロックと送受信機を共有する第１の上りリンク周波数ブロックにおいて、上りリンク共有チャネル（ＵＬ‐ＳＣＨ）送信を行うことを禁止されており、前記送受信機は、前記第１の上りリンク周波数ブロックに割り当てられた送信機、および前記第１の下りリンク周波数ブロックに割り当てられた前記受信機とを有する請求項１３に記載の通信装置。
【請求項１８】
前記ユーザー機器は、前記測定ギャップ間に、前記第１の上りリンク周波数ブロック以外の他の上りリンク周波数ブロックにて、ＵＬ‐ＳＣＨ送信を実行し続ける請求項１７に記載の通信装置。
【請求項１９】
前記少なくとも一つの下りリンク周波数ブロックおよび前記測定ギャップの設定は、同じ無線リソース制御（ＲＲＣ）メッセージを通じておこなわれ、前記ＲＲＣメッセージは、ＲＲＣ接続設定メッセージである請求項１１から１８の何れか１項に記載の通信装置。
【請求項２０】
前記少なくとも一つの下りリンク周波数ブロックおよび前記測定ギャップの設定は連続して、無線リソース制御（ＲＲＣ）メッセージを通じておこなわれ、前記ＲＲＣメッセージは、共にＲＲＣ接続設定メッセージである請求項１１から１８の何れか１項に記載の通信装置。
【請求項２１】
無線通信システムのユーザー機器（ＵＥ）において、測定ギャップを設定する方法であって、
少なくとも一つの下りリンク周波数ブロックにおいてデータ受信を行うように、前記無線通信システムのネットワーク端末によって設定された前記少なくとも一つの下りリンク周波数ブロックに応じた少なくとも一つの物理層パラメーターを設定する段階と、
測定ギャップに応じて前記物理層の測定ギャップオペレーションを設定し、前記ネットワーク端末によって設定された前記測定ギャップと関連付けられ、前記少なくとも一つの下りリンク周波数ブロックのうちの一つである第１の下りリンク周波数ブロックを設定する段階と、
前記第１の下りリンク周波数ブロックに割り当てられた受信機を通じて、前記測定ギャップ間に測定を行う段階とを備える方法。
【請求項２２】
前記少なくとも一つの物理層パラメーターは、それぞれ物理下りリンク共有チャネル（ＰＤＳＣＨ）設定を含む請求項２１に記載の方法。
【請求項２３】
前記ユーザー機器は、前記測定ギャップ間に、異周波数間測定または異無線アクセス技術間測定を行う請求項２１または２２に記載の方法。
【請求項２４】
前記少なくとも一つの下りリンク周波数ブロックでのデータ受信は、前記少なくとも一つの下りリンク周波数ブロックでの下りリンク共有チャネル（ＤＬ‐ＳＣＨ）受信である請求項２１から２３の何れか１項に記載の方法。
【請求項２５】
前記ユーザー機器は、前記測定ギャップ間に、前記第１の下りリンク周波数ブロックで下りリンク共有チャネル（ＤＬ‐ＳＣＨ）受信を行うことが禁止されている請求項２４に記載の方法。
【請求項２６】
前記ユーザー機器は、前記測定ギャップ間に、前記第１の下りリンク周波数ブロック以外の他の下りリンク周波数ブロックにて、ＤＬ‐ＳＣＨ受信を実行し続ける請求項２５に記載の方法。
【請求項２７】
前記ユーザー機器は、前記第１の下りリンク周波数ブロックと送受信機を共有する第１の上りリンク周波数ブロックにおいて、上りリンク共有チャネル（ＵＬ‐ＳＣＨ）送信を行うことを禁止されており、前記送受信機は、前記第１の上りリンク周波数ブロックに割り当てられた送信機、および前記第１の下りリンク周波数ブロックに割り当てられた前記受信機とを有する請求項２１または２２に記載の方法。
【請求項２８】
前記ユーザー機器は、前記測定ギャップ間に、前記第１の上りリンク周波数ブロック以外の他の上りリンク周波数ブロックにて、ＵＬ‐ＳＣＨ送信を実行し続ける請求項２７に記載の方法。
【請求項２９】
前記少なくとも一つの下りリンク周波数ブロックおよび前記測定ギャップの設定は、同じ無線リソース制御（ＲＲＣ）メッセージを通じておこなわれ、前記ＲＲＣメッセージは、ＲＲＣ接続設定メッセージである請求項２１から２８の何れか１項に記載の方法。
【請求項３０】
前記少なくとも一つの下りリンク周波数ブロックおよび前記測定ギャップの設定は連続して、無線リソース制御（ＲＲＣ）メッセージを通じておこなわれ、前記ＲＲＣメッセージは、共にＲＲＣ接続設定メッセージである請求項２１から２８の何れか１項に記載の方法。
【請求項３１】
無線通信システムのユーザー機器（ＵＥ）において、測定ギャップを設定する通信装置であって、前記通信装置は、
プログラムを実行するプロセッサと、
前記プロセッサと接続され、前記プログラムを記憶するメモリとを備え、
前記プログラムは、
少なくとも一つの下りリンク周波数ブロックにてデータ受信を行うように、前記無線通信システムのネットワーク端末によって設定された前記少なくとも一つの下りリンク周波数ブロックに応じた少なくとも一つの物理層パラメーターを設定する段階と、
測定ギャップに応じて前記物理層の測定ギャップオペレーションを設定し、前記ネットワーク端末によって設定された前記測定ギャップと関連付けられ、前記少なくとも一つの下りリンク周波数ブロックのうちの一つである第１の下りリンク周波数ブロックとを設定する段階と、
前記第１の下りリンク周波数ブロックに割り当てられた受信機を通じて、前記測定ギャップ間に測定を行う段階とを備える通信装置。
【請求項３２】
前記少なくとも一つの物理層パラメーターは、それぞれ物理下りリンク共有チャネル（ＰＤＳＣＨ）設定を含む請求項３１に記載の通信装置。
【請求項３３】
前記ユーザー機器は、前記測定ギャップ間に、異周波数間測定または異無線アクセス技術間測定を行う請求項３１または３２に記載の通信装置。
【請求項３４】
前記少なくとも一つの下りリンク周波数ブロックでのデータ受信は、前記少なくとも一つの下りリンク周波数ブロックでの下りリンク共有チャネル（ＤＬ‐ＳＣＨ）受信である請求項３１から３３の何れか１項に記載の通信装置。
【請求項３５】
前記ユーザー機器は、前記測定ギャップ間に、前記第１の下りリンク周波数ブロックでＤＬ‐ＳＣＨ受信を行うことが禁止されている請求項３４に記載の通信装置。
【請求項３６】
前記ユーザー機器は、前記測定ギャップ間に、前記第１の下りリンク周波数ブロック以外の他の下りリンク周波数ブロックにて、ＤＬ‐ＳＣＨ受信を実行し続ける請求項３５に記載の通信装置。
【請求項３７】
前記ユーザー機器は、前記第１の下りリンク周波数ブロックと送受信機を共有する第１の上りリンク周波数ブロックにおいて、上りリンク共有チャネル（ＵＬ‐ＳＣＨ）送信を行うことを禁止されており、前記送受信機は、前記第１の上りリンク周波数ブロックに割り当てられた送信機、および前記第１の下りリンク周波数ブロックに割り当てられた前記受信機とを有する請求項３１または３２に記載の通信装置。
【請求項３８】
前記ユーザー機器は、前記測定ギャップ間に、前記第１の上りリンク周波数ブロック以外の他の上りリンク周波数ブロックにて、ＵＬ‐ＳＣＨ送信を実行し続ける請求項３７に記載の通信装置。
【請求項３９】
前記少なくとも一つの下りリンク周波数ブロックおよび前記測定ギャップの設定は、同じ無線リソース制御（ＲＲＣ）メッセージを通じておこなわれ、前記ＲＲＣメッセージは、ＲＲＣ接続設定メッセージである請求項３１から３８の何れか１項に記載の通信装置。
【請求項４０】
前記少なくとも一つの下りリンク周波数ブロックおよび前記測定ギャップの設定は連続して、無線リソース制御（ＲＲＣ）メッセージを通じておこなわれ、前記ＲＲＣメッセージは、共にＲＲＣ接続設定メッセージである請求項３１から３８の何れか１項に記載の通信装置。
【発明の詳細な説明】
【関連出願】
【０００１】
本出願は、２００９年５月２１日出願の米国仮出願Ｎｏ．６１／１８０１３７号明細書、発明の名称「無線通信システムにおける間欠受信および測定ギャップの方法および装置」の利益を主張するものであり、前記出願の内容は、参照により本明細書に組み込まれる。
【技術分野】
【０００２】
本発明は、測定ギャップ設定方法および装置に関し、特に、無線通信システムのネットワーク端末において、周波数帯域統合（Ｃａｒｒｉｅｒ  Ａｇｇｒｅｇａｔｉｏｎ）をサポートする測定ギャップ設定を行う方法および装置に関する。
【背景技術】
【０００３】
第３世代移動体通信システムにおいて確立されている高度な高速無線通信システムであるＬＴＥシステム（Ｌｏｎｇ  Ｔｅｒｍ  Ｅｖｏｌｕｔｉｏｎ  ｗｉｒｅｌｅｓｓ  ｃｏｍｍｕｎｉｃａｔｉｏｎ  ｓｙｓｔｅｍ）では、パケット交換伝送のみをサポートしており、また、媒体アクセス制御（ＭＡＣ）層および無線リンク制御（ＲＬＣ）層の両方を、基地局（ノードＢｓ）及び無線ネットワーク制御装置（ＲＮＣ）のそれぞれに、というよりも基地局のみといった一つの通信サイトに実装する場合が多く、システム構造が簡単になっている。
【０００４】
ＬＴＥシステムは、ハンドオーバーに必要な条件に応じて、および無線リソース割当を目的として、ユーザー機器（ＵＥ）は、ネットワークから、外部無線環境を測定するよう要求される。例えば、無線リソースの品質やノイズ状況などを、無線リソース管理のための情報としてネットワークに報告する。ユーザー機器は、異周波数間測定（ｉｎｔｅｒ‐Ｆｒｅｑｕｅｎｃｙ  ｍｅａｓｕｒｅｍｅｎｔ）、または異無線アクセス技術間（ｉｎｔｅｒ‐Ｒａｄｉｏ  Ａｃｃｅｓｓ  Ｔｅｃｈｎｏｌｏｇｙ：ＲＡＴ）測定を行う場合、異なる周波数に切り替える必要があり、データ転送を行っている周波数帯に留まることはできない。このとき、ネットワークは、ユーザー機器が異周波数測定または異無線アクセス技術間測定を実行するための測定ギャップを設定する。測定ギャップの間は、上り方向及び下り方向双方での送信が禁止される。
【０００５】
第３世代パートナーシッププロジェクト（３ＧＰＰ）では、次世代のＬＴＥシステム、ＬＴＥ‐Ａｄｖａｎｃｅｄ（ＬＴＥ‐Ａ）システム標準化の取り組みがすでに始まっており、将来の通信サービスにおける様々な要求に応えることが期待されている。ＬＴＥ−Ａシステムでは、複数の異なる周波数帯域を束ねて、例えば最大１００ＭＨｚの広通信周波数帯域をサポートをするために、二つ以上の周波数ブロック（Ｃｏｍｐｏｎｅｎｔ  Ｃａｒｒｉｅｒ）を集約する周波数帯域統合（Ｃａｒｒｉｅｒ  Ａｇｇｒｅｇａｔｉｏｎ）が導入されている。ＬＴＥ−Ａシステムでは、ユーザー機器が、従来のＬＴＥシステムで採用されていたような一つの周波数ブロックではなく、複数の周波数ブロックを利用し、周波数ブロックのそれぞれで送受信を行うことによって、複数の通信経路が設けられる。
【０００６】
現在のところ、周波数帯域統合には、次のような特徴がある。  （１）連続および不連続両方の周波数ブロックでの周波数帯域統合がサポートされている。  （２）上りリンク（ＵＬ）と下りリンク（ＤＬ）間で、統合する周波数ブロックの数を異ならせることができる。しかし、後方互換性をもつ設定の場合には、統合する周波数ブロックの数は、上りリンクと下りリンクとで同じにするべきである。  （３）上りリンクと下りリンクとで、異なる数の周波数ブロックを統合するようにユーザー機器を設定して、周波数帯域を異ならせてもよい。  （４）ユーザー機器から見て、スケジュールされた一つの周波数ブロックにつき、一つの転送ブロックと一つのハイブリッド自動再送要求（ＨＡＲＱ）符号が存在する。
【０００７】
３ＧＰＰの議事録Ｒ２−０９３５９９には、周波数帯域統合に関する無線アクセスネットワーク設計についての概略が記されている。議事録では、周波数ブロック一つにつき、専用の独立した一つのＨＡＲＱ符号が存在するが、ＨＡＲＱ符号と論理チャネルとの間には静的マッピングが存在しない、すなわち、一つの論理チャネルからのデータは、利用可能とされるいずれの周波数ブロックによっても送信することができると、結論づけられている。
【０００８】
上記のように、周波数帯域統合がサポートされる場合、複数の周波数ブロックでのデータ転送を実現するために、一つのユーザー機器に対して複数の送受信機が必要となる。このようにすることで、ユーザー機器は、データ転送を、ある送受信機を通じて行っている間に、他の送受信機を通じて測定も同時に行うことができる。しかしながら、従来技術では、周波数帯域統合技術における測定ギャップ間のネットワーク及びユーザー機器の動作については、具体的に規定されていない。このような状況下では、測定ギャップの間は、ネットワークによって周波数ブロックをスケジュールすることができず、ユーザー機器のデータ送受信速度が低くなってしまうという問題があった。
【発明の概要】
【発明が解決しようとする課題】
【０００９】
本発明は、上記の問題を解決するために、無線通信システムにおける測定ギャップ設定方法および装置を提供することを目的とする。
【課題を解決するための手段】
【００１０】
上記課題を解決するために、本発明のある態様においては、無線通信システムのネットワーク端末における測定ギャップの設定方法を開示する。無線通信システムのユーザー機器（ＵＥ）に、少なくとも一つの下りリンク周波数ブロックを設定する段階と、測定ギャップがユーザー機器に設定される際に、少なくとも一つの下りリンク周波数ブロックのうち測定ギャップと関連付けられる第１の下りリンク周波数ブロックを指示する段階とを含む。
【００１１】
また、本発明の別な態様においては、無線通信システムのネットワーク端末における測定ギャップを設定する通信装置が開示される。通信装置は、プログラムを実行するプロセッサと、前記プロセッサと接続され、プログラムを記憶するメモリとを備える。プログラムは、少なくとも一つの下りリンク周波数ブロックを無線通信システムのユーザー機器（ＵＥ）に設定する段階と、測定ギャップを前記ユーザー機器に設定する際に、少なくとも一つの下りリンク周波数ブロックのうち、測定ギャップに関連付けられる第１の下りリンク周波数ブロックを指示する段階とを備える。
【００１２】
また、本発明の別な態様においては、無線通信システムのユーザー機器における測定ギャップを設定する方法が開示される。少なくとも一つの下りリンク周波数ブロックでデータ受信を行うよう前記無線通信システムのネットワーク端末によって設定された少なくとも一つの下りリンク周波数ブロックに応じた少なくとも一つの物理層パラメーターを設定する段階と、測定ギャップに応じて物理層の測定ギャップオペレーションを設定し、ネットワーク端末によって設定された測定ギャップと関連付けられる第１の下りリンク周波数ブロックとを設定する段階であって、第１の下りリンク周波数ブロックは少なくとも一つの下り周波数ブロックのうちの一つである段階と、第１の下りリンク周波数ブロックに割り当てられた受信機を通じて、測定ギャップ間に測定を行う段階とを備える。
【００１３】
また、本発明の別な態様においては、無線通信システムのユーザー機器における測定ギャップを設定する通信装置が開示される。通信装置は、プログラムを実行するプロセッサと、プロセッサと接続され、プログラムを記憶するメモリとを備える。プログラムは、少なくとも一つの下りリンク周波数ブロックにてデータ受信を行うように、無線通信システムのネットワーク端末によって設定された少なくとも一つの下りリンク周波数ブロックに応じた少なくとも一つの物理層パラメーターを設定する段階と、測定ギャップに応じた物理層の測定ギャップオペレーションと、ネットワーク端末によって設定された測定ギャップと関連付けられ少なくとも一つの下りリンク周波数ブロックのうちの一つである第１の下りリンク周波数ブロックとを設定する段階と、第１の下りリンク周波数ブロックに割り当てられた受信機を通じて、測定ギャップ間に測定を行う段階とを備える。
【００１４】
上記及びその他の本発明の目的は、下記の好ましい実施形態の記載及び図面を参照することにより、当業者に明らかになるであろう。
【図面の簡単な説明】
【００１５】
【図１】無線通信システムの概略図である。
【図２】無線通信装置の機能ブロック図である。
【図３】図２のプログラムコードを示す図である。
【図４】本発明の実施例によるプロセスを示したフローチャートである。
【図５】本発明の他の実施例によるプロセスを示したフローチャートである。
【発明を実施するための形態】
【００１６】
図１は、無線通信システム１０の概略図である。無線通信システム１０は、好ましくはＬＴＥ‐Ａｄｖａｎｃｅｄ（ＬＴＥ‐Ａ）システムであり、簡略的に示すと、一つのネットワーク及び複数のユーザー機器（ＵＥｓ）によって構成される。図１に示されるネットワーク及び複数のユーザー機器は、無線通信システム１０の構成を分かりやすく示すために使用されているに過ぎず、実際には、ネットワークは、必要に応じて設けられる複数の基地局（ノード  Ｂｓ）や無線ネットワーク制御装置等から構成され、ユーザー機器は、携帯電話やコンピュータシステム等である。
【００１７】
図２は、無線通信システムにおける通信装置１００の機能ブロック図である。通信装置１００は、図１に示すユーザー機器またはネットワークを実現するのに利用することができる。簡略化のため、図２では、通信装置１００の入力装置１０２、出力装置１０４、制御回路１０６、中央処理装置（ＣＰＵ）１０８、メモリ１１０、プログラム１１２および送受信機ユニット１１４のみが示されている。通信装置１００では、制御回路１０６が、ＣＰＵ１０８を通じてメモリ１１０内のプログラムコード１１２を実行して、通信装置１００の動作を制御する。通信装置１００は、例えばキーボードのような入力装置１０２を通じてユーザーによって入力された信号を受信することができる。また、通信装置１００は、モニターまたはスピーカのような出力装置１０４を通じて画像や音を出力することができる。送受信機ユニット１１４は、無線信号を送信および受信するのに使用され、制御回路１０６に受信信号を供給し、また制御回路１０６で生成された信号を無線により出力する。通信プロトコルの構造の観点から見ると、送受信機ユニット１１４は第１層の一部とみなすことができ、制御回路１０６は、第２層および第３層を実現するのに利用することができる。
【００１８】
図３は、図２のプログラム１１２を示したものである。プログラム１１２は、アプリケーション層２００、第３層２０２及び第２層２０６を含み、第１層２１８に接続されている。第３層２０２は、無線リソース制御をおこなっている。第２層２０６は、無線リンク制御（ＲＬＣ）層および媒体アクセス制御（ＭＡＣ）層からなり、リンク制御を行う。第１層２１８は、物理的接続を行う。
【００１９】
ＬＴＥ−Ａシステムにおいては、プログラム１１２は、ネットワークによって設定される複数の周波数ブロックにより、ユーザー機器がデータ転送を同時に行うことができる周波数帯域統合技術をサポートしている。加えて、第１層２１８は、ネットワークによる測定ギャップの設定に応じて異周波数間測定またはｉｎｔｒａ‐ＲＡＴ測定を実施する測定プロセスを実行することが要求される。このような条件において、本発明の実施形態は、プログラム１１２内に、周波数帯域統合におけるユーザー機器及びネットワークの測定ギャップ設定プログラム２２０を提供することにより、システムスケジューリング効率の向上をはかる。
【００２０】
図４は、プロセス４０の概略図である。プロセス４０は、無線通信システム１０のネットワーク端末において、測定ギャップ設定を行うのに利用され、測定ギャップ設定プログラム２２０にコンパイルすることができる。プロセス４０は、次のようなステップを含む。
ステップ４００：スタート
ステップ４０２：無線通信システムにおけるユーザー機器に、少なくとも一つの下りリンク周波数ブロックを設定する。
ステップ４０４：ユーザー機器に測定ギャップを設定する時、少なくとも一つの下りリンク周波数ブロックのうち測定ギャップと関連付けられる第１の下りリンク周波数ブロックを指示する。
ステップ４０６：エンド
【００２１】
プロセス４０によれば、ユーザー機器に送信されるデータ量が大きい場合、ネットワークは、例えば無線リソース制御（ＲＲＣ）接続再設定メッセージのようなＲＲＣメッセージを通じて、少なくとも一つの下りリンク周波数ブロックをユーザー機器に設定し、例えば、ユーザー機器が、設定された下りリンク周波数ブロックにおいてデータ受信できるようにする。また、ネットワークは、同じメッセージを通じて、少なくとも一つの上りリンク周波数ブロックをユーザー機器に設定し、ユーザー機器が、設定された上りリンク周波数ブロックにおいてデータ送信できるようにする。
【００２２】
測定ギャップをユーザー機器に設定する際に、ネットワークは、少なくとも一つの下りリンク周波数ブロックのうち、測定ギャップと関連付けられる第１の下りリンク周波数ブロックを指示する。測定ギャップと関連付けられる第１の下りリンク周波数ブロックを指示するということは、ユーザー機器は、測定ギャップの間に第１の下りリンク周波数ブロックに割り当てられる受信機を通じて、測定を行うことを指示されるということを意味する。すなわち、ユーザー機器は、測定ギャップの間、第１の下りリンク周波数ブロックを使用して、下りリンク共有チャネル（ＤＬ‐ＳＣＨ）受信を行うことが禁止される。また、ユーザー機器は、送受信機を第１の下りリンク周波数ブロックと共有することになる第１の上りリンク周波数ブロックを使用して、上りリンク共有チャネル（ＵＬ‐ＳＣＨ）送信を行うことが禁止される。ここで、共有される送受信機は、第１の上りリンク周波数ブロックに割り当てられる送信機と、第１の下りリンク周波数ブロックに割り当てられる受信機とを有する。
【００２３】
したがって、測定ギャップと関連付けられる下りリンク周波数ブロックにより、周波数帯域統合が有効になると、ユーザー機器は、一つの受信機を通じて測定を実行することができると同時に、他の送受信機を通じてデータ転送を実行することができる。その結果、測定ギャップ中であっても、ネットワークにより他の送受信機に関連付けられた周波数ブロックをスケジュールすることができ、ユーザー機器のデータ送受信速度を向上させることができる。
【００２４】
ここで、少なくとも一つの下りリンク周波数ブロック及び測定ギャップの設定は、同一のＲＲＣメッセージ、または別々のタイミングで送信されるＲＲＣメッセージを通じて行うことができ、これらは共に本発明の範囲に属する。上記ＲＲＣメッセージは、これに限定されないが、例えばＲＲＣ接続再設定メッセージであってもよい。
【００２５】
また、本発明の実施形態は、ユーザー機器の測定ギャップ設定に関連するオペレーションについても提供し、ネットワーク及びユーザー機器間の動作を調整する。図５は、プロセス５０を概略的に示したものである。プロセス５０は、無線通信システム１０のユーザー機器における測定ギャップ設定を行うのに利用され、測定ギャップ設定プログラム２２０にコンパイルすることができる。プロセス５０は、次のようなステップを含む。
ステップ５００：スタート
ステップ５０２：少なくとも一つの下りリンク周波数ブロックにてデータ受信を行うように、無線通信システムのネットワーク端末により設定された少なくとも一つの下りリンク周波数ブロックに応じた少なくとも一つの物理層パラメーターを設定する。
ステップ５０４：測定ギャップに応じた物理層の測定ギャップオペレーション、及びネットワーク端末により設定された測定ギャップに関連付けられる第１の下りリンク周波数ブロックを設定する。ここで、第１の下りリンク周波数ブロックは少なくとも一つの下りリンク周波数ブロックのうちの一つである。
ステップ５０６：測定ギャップの間に、第１の下りリンク周波数ブロックに割り当てられた受信機を通じて測定を行う。
ステップ５０８：エンド
【００２６】
プロセス５０によれば、周波数帯域統合が有効になったとき、例えば無線リソース制御（ＲＲＣ）接続再設定メッセージのようなＲＲＣメッセージを通じて、ネットワークは少なくとも一つの下りリンク周波数ブロックをユーザー機器に設定する。そして、ユーザー機器は、ネットワークにより設定された下りリンク周波数ブロックを関連する送受信機に割り当て、ユーザー機器が設定された下りリンク周波数ブロックにてデータ受信をおこなえるように、物理下りリンク共有チャネル（ＰＤＳＣＨ）設定における少なくとも一つの物理層パラメータを設定する。すなわち、ユーザー機器は、少なくとも一つの送受信機のうちの受信機を通じて、少なくとも一つの下り周波数ブロックで、下りリンク共有チャネル（ＤＬ‐ＳＣＨ）受信を行う。また、ネットワークは、メッセージを通じて少なくとも一つの上りリンク周波数ブロックをユーザー機器に設定して、ユーザー機器が、設定された上りリンク周波数ブロックにおいてデータ送信できるようにしてもよい。すなわち、ユーザー機器は、送受信機に上りリンク周波数ブロックを割り当て、少なくとも一つの送受信機のうちの送信機を通じて、上りリンク共有チャネル（ＵＬ‐ＳＣＨ）送信を少なくとも一つの上りリンク周波数ブロックにおいて行う。
【００２７】
異周波数間測定またはｉｎｔｒａ‐ＲＡＴ測定の実施が必要な時に、測定ギャップが設定されると、ユーザー機器は、ネットーワークから送信されたＲＲＣメッセージ内の命令に従って、物理層測定ギャップオペレーションの設定を行う。そして、測定ギャップを、少なくとも一つの下りリンク周波数ブロックのうちの第１の下りリンク周波数ブロックと関連付ける。このような場合、ユーザー機器は、第１の下りリンク周波数ブロックに割り当てられた受信機を通じて、測定ギャップ間に測定を行う。すなわち、ユーザー機器は、測定ギャップの間に、第１の下りリンク周波数ブロックを使用してＤＬ‐ＳＣＨ受信を行うことが禁止される。また、ユーザー機器は、第１の下りリンク周波数ブロックと送受信機を共有する上りリンク周波数ブロックを使用して、ＵＬ‐ＳＣＨ送信を行うことが禁止される。ここで、共有される送受信機は、上りリンク周波数ブロックに割り当てられる送信機、および第１の下りリンク周波数ブロックに割り当てられる受信機を有する。
【００２８】
したがって、測定ギャップに関連付けられた下りリンク周波数ブロックを指示することにより周波数帯域統合が有効となると、ユーザー機器は一つの受信機を通じて測定を実施することが許可されると同時に、他の送受信機を通じてデータ転送を行うことができる。その結果、ネットワークは、測定ギャップの間に他の送受信機に関連付けられた周波数ブロックをスケジュールすることができ、ユーザー機器のデータ送受信速度を向上させることが可能となる。
【００２９】
上記のように、周波数帯域統合のもとで、測定ギャップの設定を行う場合、ネットワークは、測定ギャップに関連付けられた周波数ブロックをユーザー機器に指示するので、ネットーワークは、他の周波数ブロックをスケジュールすることができる。加えて、この方法により、ネットワーク及びユーザー機器間の動作を調整することも可能である。
【００３０】
本発明の教示するところを維持しながら、装置および方法に様々な改良および変更を加えることが可能であることは、当業者にとって明らかである。また、添付の特許請求の範囲を明確にするためにのみ、上述の実施形態は解釈されるべきである。
【図１】
2010273343.tif 000003
【図２】
2010273343.tif 000004
【図３】
2010273343.tif 000005
【図４】
2010273343.tif 000006
【図５】
2010273343.tif 000007
【外国語明細書】
2010273343.tif 000008
2010273343.tif 000009
2010273343.tif 000010
2010273343.tif 000011
2010273343.tif 000012
2010273343.tif 000013
2010273343.tif 000014
2010273343.tif 000015
2010273343.tif 000016
2010273343.tif 000017
2010273343.tif 000018
2010273343.tif 000019
2010273343.tif 000020
2010273343.tif 000021
2010273343.tif 000022
2010273343.tif 000023
2010273343.tif 000024
2010273343.tif 000025
2010273343.tif 000026
2010273343.tif 000027
2010273343.tif 000028
2010273343.tif 000029
2010273343.tif 000030